(57)【特許請求の範囲】
【請求項１】
外筒と、前記外筒の内側に挿通される内筒とからなるスリーブ装置であって、
前記内筒の外周面に、前記外筒の膨出部が移動可能となる移動領域を設け、
前記移動領域は、前記内筒の前後方向への前記膨出部の移動を許容する第１移動領域と、前記内筒に対して前記外筒を周方向に回動させることで、前記膨出部が前記第１移動領域から移動し、前記前後方向に対して所定角度を有した周方向への移動を許容する複数の第２移動領域と、
を備えることを特徴とするスリーブ装置。
【請求項２】
前記第２移動領域における前記前後方向の寸法は、前記膨出部の外形と略同等とされる請求項１に記載のスリーブ装置。
【請求項３】
前記膨出部の内周面に第１係止部を備え、前記第２移動領域における外周面の周方向に前記第１係止部に対応する第２係止部を備えてなる請求項１又は請求項２に記載のスリーブ装置。
【請求項４】
前記第２係止部は、前記前後方向への相対的な移動量が段階的に調整可能となるよう設けられる請求項３に記載のスリーブ装置。
【請求項５】
前記膨出部は、前記外筒に設けられる外筒弾性片から内径方向に突出して設けられ、前記外筒弾性片の弾性作用により前記移動領域に当接する請求項１から請求項４のいずれか１項に記載のスリーブ装置。
【請求項６】
前記第１移動領域は、前記膨出部の前記第２移動領域への移動を誘導する案内部を備える請求項１から請求項５のいずれか１項に記載のスリーブ装置。
【請求項７】
前記膨出部の側部に切欠部が設けられ、隣接する前記第２移動領域間における前記内筒の外周面に内筒目盛り部が設けられて、前記外筒の位置調整時に前記内筒目盛り部が前記切欠部を介して視認可能とされる請求項１から請求項６のいずれか１項に記載のスリーブ装置。
【発明の詳細な説明】
【技術分野】
【０００１】
本発明は、建物における壁面に設けられる貫通孔に挿通される換気、配管、配線等のスリーブ装置に係るものであって、特に位置調整可能なスリーブ装置に関するものである。
【背景技術】
【０００２】
従来より、屋内から配管を建物の屋外へ導くためのスリーブ装置であって、外筒と、外筒に貫通する内筒により構成され、内筒は位置調整手段を介して、外筒に対して軸方向に摺動可能としたスリーブ装置が公知である（特許文献１参照）。
【先行技術文献】
【特許文献】
【０００３】
【特許文献１】特開２００４−３０８７７２号
【発明の概要】
【発明が解決しようとする課題】
【０００４】
しかしながら、特許文献１の構造では、外筒の内周面に位置調整手段としての凹凸部を設けるとともに、内筒の外周面に対応する凹凸部を設けてなり、両者を係合させて使用するものであるため、当該係合状態において位置調整を行う際には、いずれか一方を他方に対して軸方向に凹凸部を介して摺動させる必要があり、位置調整作業を円滑に行い難く、作業の煩雑さが懸念されるものであった。
【０００５】
また、外筒及び内筒の凹凸部は、軸方向に所定の間隔をもって設けられるものであるが、施工現場ではミリ単位での位置調整が必要な場合もあり、上記構造では微調整が行うことができない虞もある。
【０００６】
そこで、本発明はこのような問題点を解決するものであって、微調整を含む位置調整を円滑に行うことができるスリーブ装置を提供することを課題とする。
【課題を解決するための手段】
【０００７】
前記問題点を解決するために、本発明の請求項１に記載のスリーブ装置は、外筒と、前記外筒の内側に挿通される内筒とからなるスリーブ装置であって、前記内筒の外周面に、前記外筒の膨出部が移動可能となる移動領域を設け、前記移動領域は、前記内筒の前後方向への前記膨出部の移動を許容する第１移動領域と、前記内筒に対して前記外筒を周方向に回動させることで、前記膨出部が前記第１移動領域から移動し、前記前後方向に対して所定角度を有した周方向への移動を許容する複数の第２移動領域とを備えることを特徴とするものである。
【０００８】
また、本発明の請求項２に記載のスリーブ装置は、請求項１に記載のスリーブ装置において、前記第２移動領域における前記前後方向の寸法は、前記膨出部の外形と略同等とされるものである。
【０００９】
また、本発明の請求項３に記載のスリーブ装置は、請求項１又は請求項２に記載のスリーブ装置において、前記膨出部の内周面に第１係止部を備え、前記第２移動領域における外周面の周方向に前記第１係止部に対応する第２係止部を備えてなるものである。
【００１０】
また、本発明の請求項４に記載のスリーブ装置は、請求項３に記載のスリーブ装置において、前記第２係止部は、前記前後方向への相対的な移動量が段階的に調整可能となるよう設けられるものである。
【００１１】
また、本発明の請求項５に記載のスリーブ装置は、請求項１から請求項４のいずれか１項に記載のスリーブ装置において、前記膨出部は、前記外筒に設けられる外筒弾性片から内径方向に突出して設けられ、前記外筒弾性片の弾性作用により前記移動領域に当接するものである。
【００１２】
また、本発明の請求項６に記載のスリーブ装置は、請求項１から請求項５のいずれか１項に記載のスリーブ装置において、前記第１移動領域は、前記膨出部の前記第２移動領域への移動を誘導する案内部を備えるものである。
【００１３】
また、本発明の請求項７に記載のスリーブ装置は、請求項１から請求項６のいずれか１項に記載のスリーブ装置において、前記膨出部の側部に切欠部が設けられ、隣接する前記第２移動領域間における前記内筒の外周面に内筒目盛り部が設けられて、前記外筒の位置調整時に前記内筒目盛り部が前記切欠部を介して視認可能とされるものである。
【発明の効果】
【００１４】
本発明のスリーブ装置では、内筒に対する外筒の位置調整を行う際に、第１移動領域を介して、前後方向への所定寸法位置の近傍まで即座に移動させることができ、第２移動領域を介して、当該所定寸法位置から設定位置までの前後方向の微調整を行うことができる。これにより、微調整を含んだ外筒の位置調整を円滑に行うことができ、作業効率を向上させることができる。
【図面の簡単な説明】
【００１５】
【図１】本発明の実施例におけるスリーブ装置の分解斜視図である。
【図２】本発明の実施例におけるスリーブ装置の図１のＡ−Ａ拡大断面図である。
【図３】本発明の実施例におけるスリーブ装置の正面図である。
【図４】本発明の実施例におけるスリーブ装置の図３のＢ−Ｂ拡大断面図である。
【図５】本発明の実施例におけるスリーブ装置の係止手段の（ａ）係止前の状態説明図、（ｂ）（ａ）のＣ−Ｃ一部省略拡大断面図である。
【図６】本発明の実施例におけるスリーブ装置の係止手段の（ａ）第１係止位置の状態説明図、（ｂ）（ａ）のＤ−Ｄ一部省略拡大断面図である。
【図７】本発明の実施例におけるスリーブ装置の係止手段の（ａ）第５係止位置の状態説明図、（ｂ）（ａ）のＥ−Ｅ一部省略拡大断面図である。
【図８】本発明の実施例におけるスリーブ装置の使用状態の説明図である。
【００１６】
以下、本発明の実施の形態におけるスリーブ装置を図面に基づいて説明する。当該スリーブ装置は、建物の壁面に設けられる貫通孔又はパイプ等に設置されるものであって、外筒の膨出部を内筒の外周面に設けられる移動領域内で移動させることで、スリーブ装置の長さを調整することができるものである。
【００１７】
以下の実施例では、図８に示すように、スリーブ装置が躯体６０内に設けられるパイプ６１の室内側の端部に設置される例について説明するが、これに限られるものではなく、躯体６０内の貫通孔等に設置することができるのは勿論である。
【００１８】
同図に示すように、躯体６０の室内側には、スリーブ装置の外筒１０が設置された状態で断熱材６２が設けられ、内壁６３を介してクロス６４が設けられる。また、スリーブ装置における室内側の内筒４０には、内壁６３を開口した状態で換気ユニット６５が設置される。一方、躯体６０の室外側には、外壁６６が設けられ、外壁６６を開口した状態でパイプ６１の室外側の端部に換気ガラリ６７が設置される。
【実施例】
【００１９】
本発明の実施例に係るスリーブ装置は、図８に示すように、躯体６０内に設けられるパイプ６１に設置されるものである。当該スリーブ装置は、図１に示すように、主に、外筒１０と、外筒１０の内側に挿通される内筒４０とから構成される。
【００２０】
外筒１０は、内筒４０が挿通された状態で躯体６０内に設けられるパイプ６１に嵌合されるとともに、躯体６０に固定されるものである。当該外筒１０は、図１及び図２に示すように、パイプ６１に嵌合される筒状部２０と、躯体６０に固定されるフランジ部３０とを備えており、例えば、合成樹脂等で成形される。
【００２１】
筒状部２０は、パイプ６１の内形に対応するよう、例えば略円筒状に形成されており、当該軸方向に挿通孔２１を有してなる。当該筒状部２０の一端部には、筒状部２０の外周面から外径方向にフランジ部３０が突出して設けられる。筒状部２０において、フランジ部３０を有する方向を外筒１０の前方とし、フランジ部３０を有さない方向を後方とする。
【００２２】
筒状部２０における後方側の端部には、両端に切欠部２２を有して外筒弾性片２３が設けられる。また、外筒弾性片２３には、後述する内筒４０の移動領域４２内を移動する膨出部２４が筒状部２０の内径方向に突出して設けられ、当該膨出部２４は、第２移動領域４４に沿うように内周面において前方側へ向かって緩やかに傾斜するように形成される。これにより、外筒弾性片２３の弾性力が作用することで、膨出部２４を内筒４０の外周面に常時当接させることができる。
【００２３】
また、当該膨出部２４の内周面には、移動領域４２内における第２移動領域４４の外周面と互いに係止可能となる係止手段が設けられる。外筒１０の係止手段は、第１係止部２５とされる。当該第１係止部２５は、溝状部、凹部、突条部、凸部等から適宜選択することができるし、これらを適宜組み合わせることもできる。
【００２４】
本実施例において、外筒１０の外筒弾性片２３は、筒状部２０における周面の２箇所に夫々対向するようにして形成されており、また、第１係止部２５は、膨出部２４における幅方向の略中央部にて前後方向に延びる溝部とされる。
【００２５】
フランジ部３０は、例えば長手方向の略中央部が円弧状に膨らんだ略長方形状に形成され、各角部の近傍には躯体６０への固定の際に使用される貫通孔３１が設けられる。また、挿通孔２１に対する上下方向のフランジ部３０には、上下方向に延びる一対のスリット３２が夫々略対称となる位置に設けられる。これにより、施工作業時において、躯体６０に印した目印をスリット３２を介して視認することができる。また、スリット３２の左右方向には外筒目盛り３３が設けられる。
【００２６】
更に、挿通孔２１に対する左右方向のフランジ部３０には、左右方向に延びる一対の切欠部３４がフランジ部３０の縁部から夫々略対称となる位置に形成される。これにより、施工作業時において、躯体６０に印した目印を切欠部３４を介して視認することができる。そして、これらスリット３２と切欠部３４によって、躯体６０に対する上下左右方向の位置決めを正確に行うことができる。
【００２７】
内筒４０は、外筒１０に対する位置調整を可能として連結されるものであり、外筒１０と同様にして、例えば、合成樹脂等で成形される。当該内筒４０は、図１、図３及び図４に示すように、外筒１０の挿通孔２１に対応するよう、例えば略円筒状に形成されて、軸方向Ｐに貫通孔４１を有してなる。当該軸方向Ｐは、内筒４０の前後方向とされる。
【００２８】
また、内筒４０の外周面には、外筒１０が移動することで内筒４０の前後方向への相対的な位置調整を可能とする移動領域４２が設けられる。当該移動領域４２は、膨出部２４に対応して設けられ、内筒４０の外周面上に設けることもできるし、内筒４０における内径方向に凹状又は外径方向に凸状に設けることもできるし、これに限られない。
【００２９】
移動領域４２は、内筒４０の前後方向への膨出部２４の移動を許容する第１移動領域４３と、第１移動領域４３に連通し、内筒４０に対して外筒１０を周方向Ｑに回動させることで、膨出部２４が第１移動領域４３から移動し、内筒４０における前後方向に対して所定角度を有した周方向Ｑへの移動を許容する第２移動領域４４とを備えてなる。
【００３０】
第１移動領域４３は、内筒４０に対する外筒１０の位置調整を行う際に、前後方向への所定寸法位置の近傍まで即座に移動させるために設けられるものである。当該第１移動領域４３は、周方向Ｑにおいて、膨出部２４における幅寸法を少なくとも有して形成され、軸方向Ｐにおいて、軸方向Ｐに対して平行して形成されるものであってもよいし、傾斜状、螺旋状に形成されるものであってもよく、これに限られない。また、第２移動領域４４は、第１移動領域４３から分岐して設けられ、当該所定寸法位置から設定位置までの前後方向の微調整を行うために設けられるものである。すなわち、本発明に係るスリーブ装置の位置調整は、２段階の工程を経て行われるものである。
【００３１】
第２移動領域４４は、軸方向Ｐに沿って、所定間隔を有して複数箇所に設けられ、第１移動領域４３と第２移動領域４４は、膨出部２４の移動領域が略櫛状となるように形成される。また、複数の第２移動領域４４は、軸方向Ｐに対して等間隔を有して設けられるものであってもよいし、適宜の間隔を夫々設定して設けられるものであってもよい。
【００３２】
具体的には、図３及び図４に示すように、第２移動領域４４は、内筒４０の水平線Ｒ、すなわち軸方向Ｐに対して直交する線Ｒから角度αを有して設けられる傾斜線Ｓ上であって、前後方向に対して膨出部２４の外形と略同等の幅寸法を有して設けられる。これにより、内筒４０に対して外筒１０を周方向Ｑに回動させることで、膨出部２４が傾斜状の第２移動領域４４に沿って移動し、当該移動距離と角度αに基づいて前後方向に対する微調整の移動を行うことができる。また、第２移動領域４４の角度αは、夫々の第２移動領域４４において略同角度としてもよいし、異なる角度としてもよく、特に制限されるものではない。
【００３３】
また、第２移動領域４４には、外筒１０における膨出部２４の内周面と互いに係止可能となる係止手段が設けられる。内筒４０の係止手段は、第２係止部４５とされ、第２移動領域４４に沿って所定間隔を有して複数箇所に設けられる。当該第２係止部４５は、溝状部、凹部、突条部、凸部等から適宜選択することができるし、これらを適宜組み合わせることもできる。
【００３４】
そして、外筒１０の第１係止部２５と、内筒４０の第２係止部４５からなる係止手段により、内筒４０に対して微調整を行った外筒１０を所定位置で係止させることができる。また、第２移動領域４４に沿って、第２係止部４５が複数箇所に設けられるため、外筒１０の前後方向への相対的な移動量が段階的に調整可能となる。
【００３５】
また、第１移動領域４３には、第１移動領域４３内を移動する膨出部２４を第２移動領域４４内へ誘導させ易くするために案内部４６を設けることが望ましい。当該案内部４６は、第２移動領域４４につながる第１移動領域４３の一部領域を区画するようにして、当該一部領域の前後方向に設けられ、内筒４０の外径方向に突出して設けられる。案内部４６は、突条部、凸部等から適宜選択することができる。
【００３６】
また、案内部４６は、第１移動領域４３における周方向の全領域に設けることもできるし、これに限られない。例えば、第１移動領域４３における周方向の一部に設けることもできるし、断続的に複数個を設けることもできる。案内部４６は、より望ましくは、第２移動領域４４と略同様の傾斜を有して形成することで、より円滑な誘導効果を奏することができる。
【００３７】
更に、隣接する第２移動領域４４間における内筒４０の外周面には、位置調整を行う際の内筒目盛り４７が設けられる。当該内筒目盛り４７は、第２係止部４５における前後方向の内筒４０の外周面に設けることが望ましい。また、内筒４０の内周面には、内部結露等の流入を防止するための止水板４８が一体に設けられる。
【００３８】
本実施例において、内筒４０は、前方に位置する大径部４９と、後方に位置する小径部５０とから構成される。また、大径部４９と小径部５０との境界部には、挿通される外筒１０の抜け止め手段となる段部５１を有してなる。また、小径部５０の後方端部には、両端に切欠部５２を有して内筒弾性片５３が設けられる。また、内筒弾性片５３には、挿通される外筒１０の抜け止め手段となる突部５４が内筒４０の外径方向に突出して設けられる。これら抜け止め手段によって、外筒１０が内筒４０に挿通された状態を維持することができる。
【００３９】
また、移動領域４２は、小径部５０の外周面から内径方向に凹状に設けられる。このとき、第１移動領域４３は、軸方向Ｐに並行して膨出部２４が直動可能となるように前後方向に設けられる。また、第２移動領域４４は、内筒４０に対して外筒１０を周方向Ｑの時計回りに回動させることで、連通される第１移動領域４３の位置から移動させて、外周面に沿って軸方向Ｐの前方へ移動可能となるように第１移動領域４３から傾斜して設けられる。第２移動領域４４は、角度αを同角度として軸方向Ｐに沿って等間隔に複数箇所設けられており、図３に示すように、軸方向Ｐにおける夫々の第２移動領域４４間は距離Ｘを有して配設される。
【００４０】
また、移動領域４２は、外筒１０の膨出部２４に対応するように、小径部５０における外周面の２箇所に夫々対応するようにして形成される。第２係止部４５は、第１係止部２５の溝部に対応するように、第２移動領域４４の外周面から外径方向に突出し、軸方向Ｐの前後方向に延びる突条部とされる。当該第２係止部４５は、第２移動領域４４内を５等分するものであって、第１移動領域４３からの膨出部２４の移動距離が小さい方から順に第２係止部４５ａ、４５ｂ、４５ｃ、４５ｄ、４５ｅとされる。これにより、内筒４０に対して微調整を行った外筒１０を所定位置で係止させることができる。
【００４１】
また、軸方向Ｐに並行して直動可能となる膨出部２４を第１移動領域４３から第２移動領域４４への移動を円滑に行うために案内部４６が設けられる。当該案内部４６は、第２移動領域４４につながる第１移動領域４３における前後方向であって、第１移動領域４３における周方向の全領域に、第２移動領域４４と略同様の傾斜を有して内筒４０の外径方向に突条部が設けられる。
【００４２】
換言すると、第２移動領域４４につながる第１移動領域４３の一部領域は、第２移動領域４４における前後方向の幅寸法と同等の寸法を前後方向に有した状態で、隣接する案内部４６によって区画される。すなわち、第１移動領域４３においては、第２移動領域４４につながる第１移動領域４３の一部領域と、案内部４６とが軸方向Ｐに対して交互に設けられる。また、隣接する第２移動領域４４間における小径部５０の外周面には、位置調整を行う際の内筒目盛り４７が設けられる。
【００４３】
このようにして構成されるスリーブ装置は、内筒４０に対する外筒１０の位置調整を行った後に、図８に示すように、外筒１０の筒状部２０をパイプ６１に嵌合させるとともに、ネジ等の固定手段によって、外筒１０のフランジ部３０を躯体６０に固定して使用する。当該位置調整作業は、図５から図７のようにしてして行われる。
【００４４】
まず、図５（ａ）に示すように、外筒１０の挿通孔２１に内筒４０を挿通させた状態で、外筒１０の膨出部２４を第１移動領域４３内に配置し、所定寸法位置の近傍まで外筒１０を軸方向Ｐに移動させる。また、第１移動領域４３内に案内部４６が設けられる場合には、外筒弾性片２３における弾性力の作用によって案内部４６を乗り越えながら、軸方向Ｐに隣接する第１移動領域４３の一部領域へと移動させる。このように、内筒目盛り４７を確認しながら、外筒１０を軸方向Ｐへと移動させるだけでよいので、所定寸法位置の近傍まで即座に移動させることができる。
【００４５】
次に、図６（ａ）に示すように、内筒４０に対して外筒１０を周方向Ｑの時計回りに回動させることで、第１移動領域４３に連通する第２移動領域４４内へと膨出部２４を移動させ、第１係止部２５を第２係止部４５ａに係止させて位置調整を行う（なお、図６（ａ）においては、便宜上、外筒１０を固定した状態で作図している。）。当該状態は、第２移動領域４４の第１係止位置とされる。
【００４６】
更に位置調整が必要な場合には、図７（ａ）に示すように、外筒１０を回動させ、第２移動領域４４内にて膨出部２４を更に移動させて、第１係止部２５を第２係止部４５ｅに係止させて位置調整を行う（なお、図７（ａ）においても、同様に外筒１０を固定した状態で作図している。）。当該状態は、第２移動領域４４の第５係止位置とされる。
【００４７】
このとき、膨出部２４の側部には切欠部２２が設けられるとともに、隣接する第２移動領域４４間における内筒４０の外周面には内筒目盛り部４７が設けられているので、外筒１０の位置調整時に切欠部２２を介して内筒目盛り部４７を視認しながら位置調整を行うことができる。
【００４８】
このようにして、傾斜して設けられる第２移動領域４４内に膨出部２４を移動させることで、軸方向Ｐの前方に隣接する第２移動領域４４との距離Ｘを膨出部２４の移動距離と角度αに基づいて外筒１０の軸方向Ｐへの相対的な移動量に変換させて、軸方向Ｐへの微調整の移動を行うものである。これにより、従来のように、軸方向Ｐに対して細かな凹凸等の係合手段を設けることなく、微調整を行うことができる。
【００４９】
また、図５（ｂ）から図７（ｂ）に示すように、膨出部２４が第１移動領域４３から第２移動領域４４へと移動するのに伴って、外筒１０に対する止水板４８の位置が変動するものである。止水板４８は、躯体６０への設置時において、上下方向に位置する外筒目盛り３３の下方側寄りの挿通孔２１に設置され、止水板４８の位置が変動する場合であっても、挿通孔２１内の下方所定領域が常時止水板４８にて覆われるように設定されているため、止水機能を損なうことはない。止水板４８は、図６（ｂ）に示すように、例えば、第１係止部２５が第２係止部４５ａに係止した状態で、躯体６０への設置時にて止水板４８の上端が略水平となるよう設定される。
【００５０】
以上、説明した本発明に係るスリーブ装置によれば、内筒４０に対する外筒１０の位置調整を行う際に、第１移動領域４３を介して、前後方向への所定寸法位置の近傍まで即座に移動させることができ、第２移動領域４４を介して、当該所定寸法位置から設定位置までの前後方向の微調整を行うことができる。これにより、微調整を含んだ外筒１０の位置調整を円滑に行うことができ、作業効率を向上させることができる。
【００５１】
また、上述した実施例において、膨出部２４、移動領域４２の形状、寸法等を適宜変更して実施することが可能である。例えば、第２移動領域４４においては、内筒４０に対して外筒１０を周方向Ｑの時計回りに回動させることで、連通される第１移動領域４３の位置から移動させるものであったが、反時計回りに回動させることで移動するよう第２移動領域４４を設けるものであってもよい。すなわち、第２移動領域４４は、第１移動領域４３に対していずれかの周方向Ｑに設けてもよいし、第１移動領域４３を介して周方向Ｑの両方に設けることもできる。
【００５２】
また、第２移動領域４４は、外筒１０の回動に伴って、内筒４０の外周面に沿って軸方向Ｐの後方へ移動可能となるように第１移動領域４３から傾斜して設けられるものであってもよい。すわなち、外筒１０の回動に伴って、連通される第１移動領域４３の位置から第２移動領域４４へと移動し、内筒４０の前後方向へ相対的に移動可能であればよい趣旨である。
【００５３】
更に、一部構成を省略することができるし、一部抽出した構成とすることができるのは勿論である。
【符号の説明】
【００５４】
１０      外筒
２４      膨出部
２５      第１係止部
４０      内筒
４２      移動領域
４３      第１移動領域
４４      第２移動領域
４５      第２係止部
４６      案内部
【要約】
【課題】  微調整を含む位置調整を円滑に行うことができるスリーブ装置を提供する。
【解決手段】外筒と、前記外筒の内側に挿通される内筒とからなるスリーブ装置であって、前記内筒の外周面に、前記外筒の膨出部が移動可能となる移動領域を設け、前記移動領域は、前記内筒の前後方向への前記膨出部の移動を許容する第１移動領域と、前記内筒に対して前記外筒を周方向に回動させることで、前記膨出部が前記第１移動領域から移動し、前記前後方向に対して所定角度を有した周方向への移動を許容する複数の第２移動領域とを備えることを特徴とするスリーブ装置。
【選択図】  図１【図１】
0005664948.tif 000002
【図２】
0005664948.tif 000003
【図３】
0005664948.tif 000004
【図４】
0005664948.tif 000005
【図５】
0005664948.tif 000006
【図６】
0005664948.tif 000007
【図７】
0005664948.tif 000008
【図８】
0005664948.tif 000009